(57)【要約】【課題】  寒冷地において積雪や屋根傾斜面の滑雪や融雪による冷結によって、樋受け具の損害や脱落が発生していたことによる樋受本体の強度を完全なものにすることを目的とする。【解決手段】  本考案は、上側方に形成した所定口径に成るとともに水平に曲折形成した受止め部から成る円弧形部２とこの円弧形部から下方に垂直に形成する支板部３とから成る樋受本体１において、前記円弧形部の基端部に設けた凹壷部９及びその上方の抑止部１０とは反対位置に前記受止め部から円弧形方向に延長する突片５及び掛止め部６を形成し、前記樋受本体の支板部の基端部上下両側部に左右方向に分岐した取付羽根１３，１３を取付板１４に固着し、前記支板部の底辺部適所には水切溝１６を設け、前記取付板の一部には突爪１５を設けて成るものである。【選択図】  図１
0003125527.tif 000002
【実用新案登録請求の範囲】
【請求項１】
上側方に形成した所定口径に成るとともに水平に曲折形成した受止め部から成る円弧形部とこの円弧形部から下方に垂直に形成する支板部とから成る樋受本体において、前記円弧形部の基端部に設けた凹壷部及びその上方の抑止部とは反対位置に前記受止め部から円弧形方向に延長する突片及び掛止め部を形成し、前記樋受本体の支板部の基端部上下両側部に左右方向に分岐した取付羽根を取付板に固着し、前記支板部の底辺部適所には水切溝を設け、前記取付板の一部には突爪を設けて成ることを特徴とする樋受具。
【考案の詳細な説明】
【技術分野】
【０００１】
本考案は、軒先に施工する雨樋の受け金具に関するものである。
【背景技術】
【０００２】
従来、雨樋の受け金具は普及していても、特に寒冷地においては積雪や屋根傾斜面の滑雪や融雪による凍結によって、受け金具の折損や脱落が起こっていたため、例えばその一部を改良した製品として次のような公知文献があった。しかし、これでも強度の面では不完全なものであった。
【０００３】
【特許文献１】実公昭５０−３１９４２号公報
【特許文献２】実開昭５４−１４１５１７号公報
【考案の開示】
【考案が解決しようとする課題】
【０００４】
そこで、本考案は、従来から存する樋受具の諸欠点を一掃し、実用性の高い製品を提供することを目的とするものである。
【課題を解決するための手段】
【０００５】
本考案は、上側方に形成した所定口径に成るとともに水平に曲折形成した受止め部から成る円弧形部とこの円弧形部から下方に垂直に形成する支板部とから成る樋受本体において、前記円弧形部の基端部に設けた凹壷部及びその上方の抑止部とは反対位置に前記受止め部から円弧形方向に延長する突片及び掛止め部を形成し、前記樋受本体の支板部の基端部上下両側部に左右方向に分岐した取付羽根を取付板に固着し、前記支板部の底辺部適所には水切溝を設け、前記取付板の一部には突爪を設けて成るものである。
【考案の効果】
【０００６】
第１に、本具を取付けている取付板には左右に分岐した取付羽根を固着しているから、雨樋体を受け止める取付部の強度が大きくなり、耐久性のある部材となる。
【０００７】
第２に、雨樋体を受け止めている支板部の円弧形部には一方向に曲折した受止め部と支板部の底辺部には他方向に曲折した補強部を構成しているものであるから、雨樋体に雨水や積雪による大重量が負荷されても耐久性の大きい強度を発揮することができる。
【０００８】
第３に、支板部の底辺部には水切溝を設けているから、外側方から内側方に流れようとする雨水を確実に断ち切ることができ、破風板や壁面への雨水による腐食を未然に防止することができる。
【０００９】
第４に、取付板の一部に設けた突爪を使用することによって、高所作業における仮取付けを容易に行うことができる。
【００１０】
第５に、支板部の上端部に設けた通孔を使用すると、屋根面における融雪金具やアンテナ等の必要な部材の取付けを容易に行うことができる。
【考案を実施するための最良の形態】
【００１１】
いま建物の軒先に本具を取付板を介して取付けたときは、雨樋体は樋受本体の支板部上面の円弧形部に水平に曲折した受止め部上に載置するとともに、支板部の底辺部に前記受止め部とは反対方向に水平に曲折した補強部を設けているから、雨樋と雨水や積雪による大重量に対しても十分耐久力をもった強度を発揮するようになる。
【００１２】
支板部の底辺部適所には水切溝を設けているから、支板部の外側方から底辺部にかけて流れようとする雨水などを、当該部分において断ち切ることによって、家屋の壁面に伝達しないようになる。
【００１３】
取付板の一部に設けた突爪を使用することによって、高所作業における仮取付けを容易に行えるようになる。
【００１４】
また、支板部の上端部には通孔を設けているから、降雪地域で使用する屋根上の融雪金具やアンテナ等の取付けを容易に行えるようになる。
【実施例】
【００１５】
１は上側方に形成した所定口径の円弧形部２及びこの円弧形部から下方に垂直に形成した支板部３から成る樋受本体である。
【００１６】
４は前記樋受本体１の前記円弧形部２に水平に曲折形成した雨樋体の受止め部で、この受止め部から円弧形方向に延長して突片５を形成するとともにその端部には掛止め部６を形成する。この突片５及び掛止め部６は、施工時においては曲折して雨樋体を固定抑止するように成る。
【００１７】
７は前記樋受本体１の支板部３の底辺部に前記受止め部４とは反対方向に水平に曲折形成した補強部で、この補強部の上端部に近い支板部３には任意形状の通孔８を設ける。
【００１８】
９は前記樋受本体１の円弧形部２の基端部に連続して設けた凹壷部で、この凹壷部の上方部には抑止部１０を形成する。この両部分９，１０によって、雨樋体の内側部を固定支持するようになる。
【００１９】
１１は前記樋受本体１の支板部３の基部の上側部に形成した比較的短い補強凸部で、この補強凸部から適当間隔をおいて支板部３の下側部には比較的長い補強凸部１２を形成し、左右両側部に形成する前記長短２つの補強凸部１１，１２によって樋受本体１全体の強度上のバランスをとるようにする。
【００２０】
１３，１３は前記樋受本体１の支板部３の基端部に上下左右両側部に形成した取付羽根で、この両取付羽根の背面部には取付板１４が固着する。この取付羽根１３，１３及び取付板１４には、必要な数の取付用ビス孔１７を設ける。
【００２１】
１５は前記取付板１４の一部に設けた突爪で、この突爪は取付板からの打ち抜きに成る。
【００２２】
１６は前記支板部３の底辺部適所に設けた水切溝で、この水切溝は支板部の外側方から底辺部にかけて流れる雨水を当該部分で断ち切り、内側方向には伝えないようにするものである。
【図面の簡単な説明】
【００２３】
【図１】全体の右側斜視図
【図２】全体の左側斜視図
【図３】全体の平面図
【図４】全体の背斜視図
【図５】要部の分離状態を示した正斜視図
【符号の説明】
【００２４】
１                    樋受本体
２                    円弧形部
３                    支板部
４                    受止め部
５                    突片
６                    掛止め部
７                    補強部
８                    通孔
９                    凹壷部
１３，１３            取付羽根
１４                  取付板
１５                  突爪
１６                  水切溝
１７・・              ビス孔
【図１】
0003125527.tif 000003
【図２】
0003125527.tif 000004
【図３】
0003125527.tif 000005
【図４】
0003125527.tif 000006
【図５】
0003125527.tif 000007